(57)【要約】【課題】厚さの異なるＤＩＮレールを取り付ける場合に、ＤＩＮレールに適切に取り付け得る電気器具のＤＩＮレール取付部構造及びソケットを提供する。【解決手段】ソケット１の背面カバー１０は、ＤＩＮレール４０と嵌合する嵌合溝１３と、嵌合溝１３の両側面部のうちの一方の第１側面部１３ａに形成された爪部１４とを備える。爪部１４によってＤＩＮレール４０の第１縁部４１ａを挟持してＤＩＮレール４０上にソケット１を保持する。爪部１４は、ＤＩＮレール４０の第１縁部４１ａを厚さ方向に弾性的に押さえる。ＤＩＮレール４０の第１縁部４１ａ側には、第１縁部４１ａを厚さ方向に挟む幅が変化しない爪は存在しない。【選択図】図１
2019079887.tif 000002
【特許請求の範囲】
【請求項１】
ＤＩＮレールと嵌合する嵌合溝と、前記嵌合溝の両側面部のうちの一方の側面部に形成された爪部とを備え、前記爪部によって前記ＤＩＮレールの両側に突き出た縁部の一方側を挟持して該ＤＩＮレール上に電気器具を保持する電気器具のＤＩＮレールの取付部構造において、
前記爪部は、前記ＤＩＮレールの両側に突き出た縁部の前記一方側を厚さ方向に弾性的に押さえると共に、
前記ＤＩＮレールの両側に突き出た縁部の前記一方側には、前記縁部を厚さ方向に挟む幅が変化しない爪は存在しないことを特徴とする電気器具のＤＩＮレール取付部構造。
【請求項２】
前記爪部は、前記縁部の厚さに応じて、前記縁部を厚さ方向に挟む幅が弾性的に変化することを特徴とする請求項１に記載の電気器具のＤＩＮレール取付部構造。
【請求項３】
前記爪部は、
前記嵌合溝の側面を構成し、かつ該嵌合溝の底面の延長面から立設する立設壁と、
前記立設壁から片持ち梁式に前記嵌合溝の内側に延設される押圧部とを有していることを特徴とする請求項１又は２に記載の電気器具のＤＩＮレール取付部構造。
【請求項４】
前記爪部は、前記立設壁における嵌合溝の底面の外側延長面に該嵌合溝のＤＩＮレールに直交する方向に平行な切り込み溝を有していることを特徴とする請求項３に記載の電気器具のＤＩＮレール取付部構造。
【請求項５】
前記爪部の押圧部は、前記縁部への押圧面が自由端から固定端に行くに伴って前記嵌合溝の底面に近づく傾斜面を有していることを特徴とする請求項３又は４に記載の電気器具のＤＩＮレール取付部構造。
【請求項６】
前記爪部が形成された前記嵌合溝の両側面部のうちの一方の側面部における底面には、前記ＤＩＮレールの両側に突き出た縁部の前記一方側を嵩上げする嵩上げ突起が形成されていることを特徴とする請求項５に記載の電気器具のＤＩＮレール取付部構造。
【請求項７】
前記爪部は、前記嵌合溝の両側面部のうちの一方の側面部に、複数個設けられていることを特徴とする請求項１〜６のいずれか１項に記載の電気器具のＤＩＮレール取付部構造。
【請求項８】
請求項１〜７のいずれか１項に記載の電気器具のＤＩＮレール取付部構造を備えていることを特徴とするソケット。
【発明の詳細な説明】
【技術分野】
【０００１】
本発明は、電気器具を取り付けるためのＤＩＮレール取付部構造及びそのＤＩＮレール取付部構造を備えたソケットに関するものである。
【背景技術】
【０００２】
例えば、特許文献１には、電気機器をＤＩＮレールに取り付けるためのＤＩＮレール取付構造として、ＤＩＮレールと嵌合する嵌合溝を備えると共に、嵌合溝の両側面部のうちの一方の側面部に固定爪部に加えて弾性爪部を設けたＤＩＮレール取付構造が開示されている。そして、この弾性爪部によって、固定爪部の応力割れを防止すると共に、取付強度を向上するようにした電気機器のＤＩＮレール取付構造を提供するものとなっている。
【先行技術文献】
【特許文献】
【０００３】
【特許文献１】特開２００６−６８８５２号公報（２００６年３月１６日公開）
【発明の概要】
【発明が解決しようとする課題】
【０００４】
ところで、ＤＩＮレールでは、ＩＮレールの両側に突き出た縁部の厚さに応じて厚型ＤＩＮレールと薄型ＤＩＮレールとの２種類がある。このため、薄型ＤＩＮレールに対応した固定爪部を有している電気器具のＤＩＮレール取付構造においては、電気器具の固定爪部に厚型ＤＩＮレールを嵌挿することができず、無理に嵌挿しようとすると固定爪部が破損するという問題を有している。
【０００５】
本開示の一態様は、前記従来の問題点に鑑みなされたものであって、その目的は、厚さの異なるＤＩＮレールを取り付ける場合に、ＤＩＮレールに適切に取り付け得る電気器具のＤＩＮレール取付部構造及びソケットを提供することにある。
【課題を解決するための手段】
【０００６】
本開示の一態様における電気器具のＤＩＮレール取付部構造は、上記の課題を解決するために、ＤＩＮレールと嵌合する嵌合溝と、前記嵌合溝の両側面部のうちの一方の側面部に形成された爪部とを備え、前記爪部によって前記ＤＩＮレールの両側に突き出た縁部の一方側を挟持して該ＤＩＮレール上に電気器具を保持する電気器具のＤＩＮレールの取付部構造において、前記爪部は、前記ＤＩＮレールの両側に突き出た縁部の前記一方側を厚さ方向に弾性的に押さえると共に、前記ＤＩＮレールの両側に突き出た縁部の前記一方側には、前記縁部を厚さ方向に挟む幅が変化しない爪は存在しないことを特徴としている。
【０００７】
前記構成によれば、電気器具のＤＩＮレール取付部構造は、ＤＩＮレールと嵌合する嵌合溝と、前記嵌合溝の両側面部のうちの一方の側面部に形成された爪部とを備え、前記爪部によって前記ＤＩＮレールの両側に突き出た縁部の一方側を挟持して該ＤＩＮレール上に電気器具を保持する。
【０００８】
このため、ＤＩＮレールの両側に突き出た縁部の一方側を挟持する部材は、爪部のみとなる。そして、爪部はＤＩＮレールの両側に突き出た縁部の一方側を厚さ方向に弾性的に押さえるようになっている。この結果、電気器具を厚型ＤＩＮレールに取付ける場合であっても、爪部の弾性力により、ＤＩＮレールの両側に突き出た縁部の一方側を弾性的に押さえて挟持するので、爪部が持ち上がる。この結果、爪部が破損することがない。
【０００９】
したがって、厚さの異なるＤＩＮレールを取り付ける場合に、ＤＩＮレールに適切に取り付け得る電気器具のＤＩＮレール取付部構造を提供することができる。
【００１０】
本開示の一態様における電気器具のＤＩＮレール取付部構造では、前記爪部は、前記縁部の厚さに応じて、前記縁部を厚さ方向に挟む幅が弾性的に変化するとすることができる。
【００１１】
これにより、縁部の厚さの厚いＤＩＮレールを取り付ける場合においても、縁部を厚さ方向に挟む幅が弾性的に大きくなることにより、該ＤＩＮレールの縁部を弾性的に挟持することができる。したがって、縁部の厚さの厚いＤＩＮレールを取り付ける場合に、ＤＩＮレールを取り付けるための爪部が破損することがない。
【００１２】
本開示の一態様における電気器具のＤＩＮレール取付部構造では、前記爪部は、前記嵌合溝の側面を構成し、かつ該嵌合溝の底面の延長面から立設する立設壁と、前記立設壁から片持ち梁式に前記嵌合溝の内側に延設される押圧部とを有しているとすることができる。
【００１３】
これにより、爪部は、嵌合溝の側面を構成し、かつ嵌合溝の底面の延長面から立設する立設壁と、該立設壁から片持ち梁式に嵌合溝の内側に延設される押圧部とを有している。このため、縁部の厚さの厚いＤＩＮレールを取り付ける場合に、弾性的に回転変形する爪部の回転中心は、爪部の立設壁の根元になる。この結果、爪部の回転半径が大きくなるので、弾性的に変形し易くなる。
【００１４】
本開示の一態様における電気器具のＤＩＮレール取付部構造では、前記爪部は、立設壁における嵌合溝の底面の外側延長面に該嵌合溝のＤＩＮレールに直交する方向に平行な切り込み溝を有していることが好ましい。
【００１５】
これにより、弾性的に回転変形する爪部の回転中心は、爪部の切り込み溝の外側端部となる。この結果、爪部の回転半径がさらに大きくなるので、さらに弾性的に変形し易くなる。
【００１６】
本開示の一態様における電気器具のＤＩＮレール取付部構造では、前記爪部の押圧部は、前記縁部への押圧面が自由端から固定端に行くに伴って前記嵌合溝の底面に近づく傾斜面を有していることが好ましい。
【００１７】
これにより、ＤＩＮレールを嵌合部に嵌合させる場合において、押圧面に傾斜があるので、縁部を傾けて爪部に向けて挿入することにより、ＤＩＮレールの縁部を容易に嵌合溝に嵌合させることができる。
【００１８】
本開示の一態様における電気器具のＤＩＮレール取付部構造では、前記爪部が形成された前記嵌合溝の両側面部のうちの一方の側面部における底面には、前記ＤＩＮレールの両側に突き出た縁部の前記一方側を嵩上げする嵩上げ突起が形成されていることが好ましい。
【００１９】
これにより、嵩上げ突起によって、ＤＩＮレールの爪部側が高くなるので、爪部の縁部への押圧力を高めることができる。
【００２０】
本開示の一態様における電気器具のＤＩＮレール取付部構造では、前記爪部は、前記嵌合溝の両側面部のうちの一方の側面部に、複数個設けられているとすることができる。
【００２１】
これにより、ＤＩＮレールの両側に突き出た縁部の一方側を、ＤＩＮレールに沿って複数箇所で挟持するので、挟持力が高まる。この結果、電気器具を安定して保持することができる。
【００２２】
本開示の一態様におけるソケットは、前記電気器具のＤＩＮレール取付部構造を備えていることを特徴としている。
【００２３】
前記構成によれば、厚さの厚いＤＩＮレールを取り付ける場合に、ＤＩＮレールを取り付けるための爪部が破損することを防止し得る電気器具のＤＩＮレール取付部構造を備えたソケットを提供することができる。
【発明の効果】
【００２４】
本開示の一態様によれば、厚さの異なるＤＩＮレールを取り付ける場合に、ＤＩＮレールに適切に取り付け得る電気器具のＤＩＮレール取付部構造及びソケットを提供するという効果を奏する。
【図面の簡単な説明】
【００２５】
【図１】本発明の実施形態１における電気器具のＤＩＮレール取付部構造を例示する分解斜視図である。
【図２】前記電気器具としてのソケットの全体構成を例示する斜視図である。
【図３】前記ソケットの内部構造を例示する斜視図である。
【図４】前記ソケットの背面部の構成を例示する斜視図である。
【図５】（ａ）は薄型ＤＩＮレールに取り付けた前記ソケットを例示する正面図であり、（ｂ）は厚型ＤＩＮレールに取り付けた前記ソケットを例示する正面図である。
【発明を実施するための形態】
【００２６】
以下、本発明の一側面に係る実施の形態（以下、「本実施形態」とも表記する）を、図面に基づいて説明する。
【００２７】
（適用例）
まず、図１に基づいて、本発明が適用される場面の一例について説明する。図１は、本発明の一態様におけるＤＩＮレール取付部構造を例示する分解斜視図である。
【００２８】
図１に示すように、本発明の実施の形態におけるソケット１の背面カバー１０のＤＩＮレール取付部構造は、ＤＩＮレール４０と嵌合する嵌合溝１３と、嵌合溝１３の両側面部のうちの第１側面部１３ａに形成された爪部１４とを備え、爪部１４によってＤＩＮレール４０の両側に突き出た縁部４１の第１縁部４１ａを挟持してＤＩＮレール４０上にソケット１を保持する。そして、爪部１４は、ＤＩＮレール４０の両側に突き出た縁部４１の第１縁部４１ａを厚さ方向に弾性的に押さえる。また、ＤＩＮレール４０の両側に突き出た縁部４１の第１縁部４１ａ側には、縁部４１を厚さ方向に挟む幅が変化しない爪は存在しない。
【００２９】
尚、ソケット１は、本発明の一態様における電気器具として機能する。背面カバー１０は、本発明の一態様におけるＤＩＮレール取付部として機能する。第１側面部１３ａは、本発明の一態様における一方の側面部として機能する。第１縁部４１ａは、本発明の一態様における第１縁部４１ａとして機能する。
【００３０】
これにより、ＤＩＮレール４０の両側に突き出た第１縁部４１ａを挟持する部材は、爪部１４のみとなる。そして、爪部１４はＤＩＮレール４０の両側に突き出た縁部４１の第１縁部４１ａを厚さ方向に弾性的に押さえるようになっている。この結果、ソケット１を厚型ＤＩＮレール４０Ｂに取付ける場合であっても、爪部１４の弾性力により、厚型ＤＩＮレール４０Ｂの第１縁部４１ａを弾性的に押さえて挟持するので、爪部１４が持ち上がる。この結果、爪部１４が破損することがない。
【００３１】
したがって、厚さの異なるＤＩＮレールを取り付ける場合に、ＤＩＮレールに適切に取り付け得る電気器具のＤＩＮレール取付部構造及びソケットを提供することができる。
【００３２】
また、本発明の実施の形態におけるソケット１の背面カバー１０のＤＩＮレール取付部構造では、爪部１４は、縁部４１の厚さに応じて、縁部４１を厚さ方向に挟む幅が弾性的に変化するとすることができる。
【００３３】
これにより、図５（ｂ）に示すように、厚さの厚い縁部４１を有する厚型ＤＩＮレール４０Ｂを取り付ける場合においても、第１縁部４１ａを厚さ方向に挟む幅が弾性的に大きくなることにより、厚型ＤＩＮレール４０Ｂの第１縁部４１ａを弾性的に挟持することができる。したがって、厚さの厚い第１縁部４１ａを有する厚型ＤＩＮレール４０Ｂを取り付ける場合に、厚型ＤＩＮレール４０Ｂを取り付けるための爪部１４が破損することがない。
【００３４】
（構成例）
〔実施の形態１〕
本発明の実施の形態について図１〜図５に基づいて説明すれば、以下のとおりである。
【００３５】
本実施の形態の電気器具としてのソケットの全体構成について、図２に基づいて説明する。図２は本実施の形態のソケット１の全体構成を例示する斜視図である。尚、本実施の形態においては、図２において紙面の上側（点線で示すリレーＲが装着される側）を前側といい、図２において紙面の下側を後側又は背面側という。
【００３６】
図２に示すように、本実施の形態のソケット１は、略直方体形状にてなっており、長手方向の両端部にそれぞれ４個、合計８個の外部配線用接続端子３を備えている。また、内部には電気機器端子用接続端子４が８個設けられており、これら電気機器端子用接続端子４は、ソケット１における前面カバー３０の前面に形成された端子挿入孔３１から露出するようになっている。このように、本実施の形態のソケット１は、例えば８端子タイプのソケットとなっている。尚、本実施の形態では、電気器具としてのソケット１を例示して説明をしているが、本発明の一態様においては電気器具はソケット１に限らない。例えば、電気器具として、ソケット１を介さずに、直接取り付けられるリレー、タイマ、カウンタ、センサコントローラ、ＰＬＣ（Programmable Logic Controller）等の電気器具であってもよい。
【００３７】
図２に示すように、本実施の形態では、ソケット１の前面には、電気機器としての例えばリレーＲが装着されるようになっている。リレーＲをソケット１に装着するときには、リレーＲの電気機器端子としての図示しない接続端子を前面カバー３０の端子挿入孔３１に挿入する。これにより、リレーＲの接続端子が電気機器端子用接続端子４に電気的に接続される。尚、本実施の形態のソケット１では、電気機器としての例えばリレーＲがソケット１に装着されるとした。しかし、本発明の一態様においては、端子数等も必ずしもこれに限らず、例えばタイマ等の任意の電気機器をソケットに装着することも可能である。
【００３８】
図２及び図３に基づいて、本実施の形態のソケット１の内部構成について説明する。図３は、ソケット１の内部構造を例示する斜視図である。
【００３９】
図２及び図３に示すように、本実施の形態のソケット１は、下側に設けられた背面カバー１０と、上側に設けられた前記前面カバー３０とを備えている。これら背面カバー１０及び前面カバー３０は樹脂製品にてなっており、絶縁性を有している。背面カバー１０と前面カバー３０とは、背面カバー１０の爪１１を図２に示す前面カバー３０の爪用孔３２に挿入することにより、両者を一体に取り付け可能となっている。
【００４０】
背面カバー１０と前面カバー３０とで覆われたソケット１の内部には、棒状線２、外部配線用接続端子３、電気機器端子用接続端子４及びワッシャ５とが設けられている。
【００４１】
棒状線２は、外部配線用接続端子３と電気機器端子用接続端子４との間を接続する端子間接続部材であり、本実施の形態では、棒状の裸の導線からなっている。尚、棒の断面は、円形、楕円形、多角形のいずれであってもよい。
【００４２】
本実施の形態のソケット１は、外部配線用接続端子３に図示しない外部配線がネジ６にて接続される。これにより、外部配線用接続端子３から棒状線２を介して電気機器端子用接続端子４にまで電気的に接続される。尚、背面カバー１０には、棒状線２がソケット１の内部で下方移動するのを防止するために、背面カバー突起部１２が立設されている。
【００４３】
この結果、図２に示すように、ソケット１の前側から例えば、リレーＲの接続端子を、前面カバー３０の端子挿入孔３１に挿入することにより、リレーＲが電気機器端子用接続端子４に電気的に接続され、リレーＲを使用可能状態にすることができる。
【００４４】
ところで、本実施の形態のソケット１は、例えば、制御盤内において、ＤＩＮレールに取り付け固定される。このため、ソケット１は、ＤＩＮレールに取り付け固定するための構成としてＤＩＮレール取付部としての背面カバー１０を有している。
【００４５】
このＤＩＮレールに取り付け固定する取付部としての背面カバー１０の構成について、図１、図４及び前記図３に基づいて説明する。図１は、本実施の形態におけるソケット１のＤＩＮレール取付部としての背面カバー１０構造を例示する分解斜視図である。図４は、ソケット１の背面部の構成を例示する斜視図である。
【００４６】
最初に、ＤＩＮレールについて説明する。ＤＩＮ（ドイツ工業規格）レールは、制御盤内で使用されるリレー、タイマ、カウンタ等の電気機器を制御盤内に取り付ける際、一般的によく利用されている金属製のレールである。ＤＩＮレールは、ねじによる取り付けに比べ着脱が容易となり、施工・メンテナンス工数削減が可能となる。ＤＩＮレールは、規格に沿っているため、どのメーカのＤＩＮレールでも統一された寸法になっており、制御盤内では一般に３５ｍｍ幅のＤＩＮレールが使用される。
【００４７】
図１に示すように、ＤＩＮレール４０は、Ｃ型チャネル構造を有しており、両端部において突き出た縁部４１を有している。このため、本実施の形態のＤＩＮレール取付部としての背面カバー１０は、図１に示すように、ＤＩＮレール４０と嵌合する嵌合溝１３と、この嵌合溝１３の両側面部のうちの一方の側面部である第１側面部１３ａに形成された爪部１４とを備えている。嵌合溝１３は、第１側面部１３ａと第２側面部１３ｂとの間の領域である。そして、爪部１４によってＤＩＮレール４０の両側に突き出た縁部４１の一方側の第１縁部４１ａを挟持してＤＩＮレール４０上に電気器具としてのソケット１を保持するようになっている。尚、爪部１４は、樹脂製品からなる背面カバー１０と一体に形成されている。このため、背面カバー１０及び爪部１４は弾性体からなっている。
【００４８】
図４に示すように、嵌合溝１３の両側面部のうちの他方の側面部である第２側面部１３ｂは、中央部が側面開口１３ｂ１となっており、側面開口１３ｂ１はレールホルダ２０がスライドするスライドガイド路１５の出口となっている。図１に示すように、スライドガイド路１５は溝構造を有し、溝に沿って案内されてレールホルダ２０が摺動自在にスライドするようになっている。
【００４９】
ここで、図１及び図４に示すように、レールホルダ２０には、当接部２１が設けられている。このため、レールホルダ２０がスライドガイド路１５を嵌合溝１３に向かってスライド移動するときに、当接部２１がスライドガイド路１５の入り口壁１５ａに当接することにより、レールホルダ２０のスライド移動が停止するようになっている。
【００５０】
また、図４に示すように、レールホルダ２０のスライド方向先端には、断面が尖頭形状のレール係止部２２が突出して設けられている。そして、レールホルダ２０がスライド移動を停止したときには、図４に示すように、レール係止部２２は、第２側面部１３ｂよりも嵌合溝１３の内部に突出する状態となっている。
【００５１】
この結果、後述する図５の（ａ）（ｂ）に示すように、嵌合溝１３の第２側面部１３ｂでは、ＤＩＮレール４０の第２縁部４１ｂが、レールホルダ２０のレール係止部２２と嵌合溝１３の底部との間に挟持されて係止されるようになっている。
【００５２】
ところで、ＤＩＮレール４０は、ＤＩＮレール４０の両側に突き出た縁部の厚さに応じて薄型ＤＩＮレール４０Ａと厚型ＤＩＮレール４０Ｂとの２種類がある。このため、薄型ＤＩＮレール４０Ａに対応した従来の固定爪部、つまり縁部４１を厚さ方向に挟む幅が変化しない爪を有している電気器具のＤＩＮレール取付構造においては、電気器具の固定爪部に厚型ＤＩＮレール４０Ｂを嵌挿することができない。その結果、無理に嵌挿しようとすると、固定爪部が破損する又はＤＩＮレール取付部としての基板が変形してしまうという問題を有していた。さらに、ソケット１を薄型ＤＩＮレール４０Ａと厚型ＤＩＮレール４０Ｂとの両方に共用することが困難であった。
【００５３】
そこで、本実施の形態におけるソケット１のＤＩＮレール取付部としての背面カバー１０の構造では、図１に示すように、爪部１４は、ＤＩＮレール４０の両側に突き出た縁部４１の一方側である第１縁部４１ａを厚さ方向に弾性的に押さえるようになっている。このとき、第１縁部４１ａ側には、第１縁部４１ａを厚さ方向に挟む幅が変化しない爪は存在しないものとなっている。
【００５４】
前記機能を有する本実施の形態の背面カバー１０の爪部１４の詳細構成について、前記図１及び前記図４に基づいて説明する。
【００５５】
図１及び図４に示すように、本実施の形態の爪部１４は、立設壁１４ａと押圧部１４ｂとを有している。立設壁１４ａは、本実施の形態では、嵌合溝１３の底面の延長面から立設しており、嵌合溝１３の側面を構成している。また、押圧部１４ｂは、立設壁１４ａから片持ち梁式に嵌合溝１３の内側に延設されている。
【００５６】
これにより、厚さの厚い縁部４１を有する厚型ＤＩＮレール４０Ｂを取り付ける場合に、弾性的に回転変形する爪部１４の回転中心は、爪部１４の立設壁１４ａの根元になる。この結果、爪部１４の回転半径が大きくなるので、弾性的に変形し易くなる。
【００５７】
また、図４に示すように、本実施の形態では、爪部１４は、立設壁１４ａにおける嵌合溝１３の底面の外側延長面に、嵌合溝１３のＤＩＮレール４０に直交する方向に平行な切り込み溝１６を有している。切り込み溝１６は、背面カバー１０を貫通している。これにより、弾性的に回転変形する爪部１４の回転中心は、爪部１４の切り込み溝１６の外側端部となる。この結果、爪部１４の回転半径がさらに大きくなるので、さらに弾性的に変形し易くなる。
【００５８】
また、図１に示すように、押圧部１４ｂは、ＤＩＮレール４０の第１縁部４１ａへの押圧面が自由端から固定端に行くに伴って嵌合溝１３の底面に近づく傾斜面１４ｂ１を有している。これにより、ＤＩＮレール４０の縁部４１を押す押圧面に傾斜があるので、縁部４１を傾けて爪部１４に向けてＤＩＮレール４０を挿入することにより、ＤＩＮレール４０の縁部４１を嵌合溝１３に容易に嵌合させることができる。
【００５９】
また、本実施の形態では、爪部１４は、嵌合溝１３の両側面部である第１側面部１３ａ及び第２側面部１３ｂのうちの一方の第１側面部１３ａに、複数個設けられてもよく、例えば２個設けられている。これにより、ＤＩＮレール４０の両側に突き出た縁部４１のうちの第１縁部４１ａを、ＤＩＮレール４０に沿って２箇所で挟持するので、挟持力が高まる。この結果、ソケット１を安定して保持することができる。尚、本実施の形態では、爪部１４を２個設けるとしたが、本発明の一態様においては、２個に限らない。例えば、爪部１４を１個とすることが可能である。この場合、ＤＩＮレール４０に沿って長い爪部１４を設けることが好ましい。また、本実施の形態においては、爪部１４の個数を複数としての例えば２個としたが、本発明の一態様においては、３個以上にすることも可能である。
【００６０】
また、図４に示すように、本実施の形態では、爪部１４が形成された嵌合溝１３の両側面部である第１側面部１３ａ及び第２側面部１３ｂのうちの一方の第１側面部１３ａにおける底面には、ＤＩＮレール４０の両側に突き出た縁部４１の第１縁部４１ａを嵩上げする嵩上げ突起１７が形成されている。これにより、嵩上げ突起１７によって、ＤＩＮレール４０の爪部１４側が高くなるので、爪部１４の縁部４１への押圧力を高めることができる。
【００６１】
上記構成のソケット１のＤＩＮレール取付部としての背面カバー１０を備えたソケット１をＤＩＮレール４０に取り付ける方法について、前記図１及び図５の（ａ）（ｂ）に基づいて説明する。図５の（ａ）は、薄型ＤＩＮレール４０Ａに取り付けたソケット１を例示する正面図である。図５の（ｂ）は、厚型ＤＩＮレール４０Ｂに取り付けたソケット１を例示する正面図である。
【００６２】
最初に、薄型ＤＩＮレール４０Ａをソケット１の背面カバー１０の嵌合溝１３に取り付ける場合について説明する。薄型ＤＩＮレール４０Ａを嵌合溝１３に取り付ける場合には、図１に示すように、薄型ＤＩＮレール４０Ａの第１縁部４１ａを嵌合溝１３の底部と爪部１４の押圧部１４ｂにおける傾斜面１４ｂ１との間に挿入する。このとき、押圧部１４ｂに傾斜面１４ｂ１が存在していると共に、本実施の形態では、傾斜面１４ｂ１の傾斜角度と第１縁部４１ａの挿入方向とが略等しくなっている。このため、薄型ＤＩＮレール４０Ａの第１縁部４１ａを容易に挿入することができる。
【００６３】
前述のようにして薄型ＤＩＮレール４０Ａの第１縁部４１ａを爪部１４側に挿入した後、次いで、薄型ＤＩＮレール４０Ａの第２縁部４１ｂを嵌合溝１３の底部に当接させる。この状態で、レールホルダ２０をスライドしてスライドガイド路１５に通す。そして、レールホルダ２０の当接部２１がスライドガイド路１５の入り口壁１５ａに当接することにより、レールホルダ２０のスライド移動が停止する。
【００６４】
この状態では、レールホルダ２０のレール係止部２２が、第２側面部１３ｂよりも突出している。この結果、図５の（ａ）に示すように、薄型ＤＩＮレール４０Ａの第１縁部４１ａ及び第２縁部４１ｂが、背面カバー１０の嵌合溝１３に嵌合される。この状態では、薄型ＤＩＮレール４０Ａの第１縁部４１ａは、嵌合溝１３の底部と爪部１４との間に挟持されている。
【００６５】
次に、厚型ＤＩＮレール４０Ｂをソケット１の背面カバー１０の嵌合溝１３に取り付ける場合について説明する。厚型ＤＩＮレール４０Ｂを嵌合溝１３に取り付ける場合の順序は、前記薄型ＤＩＮレール４０Ａをソケット１の背面カバー１０の嵌合溝１３に取り付ける場合の順序と同じである。その結果、図５の（ｂ）に示すように、薄型ＤＩＮレール４０Ａの第１縁部４１ａ及び第２縁部４１ｂが、背面カバー１０の嵌合溝１３に嵌合される。
【００６６】
この状態では、厚型ＤＩＮレール４０Ｂの第１縁部４１ａは、嵌合溝１３の底部と爪部１４との間に押圧状態で挟持されている。この結果、詳細には、薄型ＤＩＮレール４０Ａの場合と比べて、爪部１４が押圧力により少し傾斜した状態となっている。これにより、本実施の形態では、厚型ＤＩＮレール４０Ｂであっても、爪部１４が破損することなく、ソケット１を厚型ＤＩＮレール４０Ｂに取り付けることができる。
【００６７】
この結果、ソケット１を、薄型ＤＩＮレール４０Ａと厚型ＤＩＮレール４０Ｂとのいずれにおいても違和感なく該薄型ＤＩＮレール４０Ａ又は厚型ＤＩＮレール４０Ｂに取り付けることができる、
以上のように、本実施の形態における電気器具としてのソケット１のＤＩＮレール取付部としての背面カバー１０の構造は、ＤＩＮレール４０と嵌合する嵌合溝１３と、嵌合溝１３の両側面部のうちの一方の第１側面部１３ａに形成された爪部１４とを備え、爪部１４によってＤＩＮレール４０の両側に突き出た縁部４１の一方側である第１縁部４１ａを挟持してＤＩＮレール４０上にソケット１を保持する。そして、爪部１４は、ＤＩＮレール４０の両側に突き出た縁部４１の第１縁部４１ａを厚さ方向に弾性的に押さえる。また、ＤＩＮレール４０の両側に突き出た縁部４１の第１縁部４１ａ側には、縁部４１を厚さ方向に挟む幅が変化しない爪は存在しない。
【００６８】
このため、ＤＩＮレール４０の両側に突き出た縁部４１の第１縁部４１ａを挟持する部材は、爪部１４のみとなる。この爪部１４は、ＤＩＮレール４０の第１縁部４１ａを厚さ方向に弾性的に押さえるようになっている。この結果、ソケット１を厚型ＤＩＮレール４０Ｂに取付ける場合であっても、爪部１４の弾性力により、第１縁部４１ａを弾性的に押さえて挟持する。このため、爪部１４が持ち上がる。したがって、爪部１４が破損することがない。
【００６９】
それゆえ、厚さの互いに異なる薄型ＤＩＮレール４０Ａ又は厚型ＤＩＮレール４０Ｂを取り付ける場合に、薄型ＤＩＮレール４０Ａ又は厚型ＤＩＮレール４０Ｂに適切に取り付け得る電気器具のＤＩＮレール取付部構造及びソケットを提供することができる。また、これにより、薄型ＤＩＮレール４０Ａと厚型ＤＩＮレール４０Ｂとを共用できるＤＩＮレール取付部の構造を実現することができる。
【００７０】
また、本実施の形態におけるソケット１の背面カバー１０のＤＩＮレール取付部構造では、爪部１４は、縁部４１の厚さに応じて、縁部４１を厚さ方向に挟む幅が弾性的に変化する。
【００７１】
これにより、図５（ｂ）に示すように、厚さの厚い縁部４１を有する厚型ＤＩＮレール４０Ｂを取り付ける場合においても、第１縁部４１ａを厚さ方向に挟む幅が弾性的に大きくなることにより、厚型ＤＩＮレール４０Ｂの第１縁部４１ａを弾性的に挟持することができる。したがって、厚さの互いに異なる薄型ＤＩＮレール４０Ａ又は厚型ＤＩＮレール４０Ｂを取り付ける場合に、薄型ＤＩＮレール４０Ａ又は厚型ＤＩＮレール４０Ｂに適切に取り付け得る電気器具のＤＩＮレール取付部構造及びソケット１を提供することができる。
【００７２】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７３】
１        ソケット
２        棒状線
３        外部配線用接続端子
４        電気機器端子用接続端子
１０        背面カバー（ＤＩＮレール取付部）
１３        嵌合溝
１３ａ      第１側面部（一方の側面部）
１３ｂ      第２側面部
１４        爪部
１４ａ      立設壁
１４ｂ      押圧部
１４ｂ１    傾斜面
１５        スライドガイド路
１５ａ      入り口壁
１６        切り込み溝
１７        嵩上げ突起
２０        レールホルダ
２１        当接部
２２        レール係止部
３０        前面カバー
３１        端子挿入孔
３２        爪用孔
４０        ＤＩＮレール
４０Ａ      薄型ＤＩＮレール（ＤＩＮレール）
４０Ｂ      厚型ＤＩＮレール（ＤＩＮレール）
４１        縁部
４１ａ      第１縁部（縁部の一方側）
４１ｂ      第２縁部
【図１】
2019079887.tif 000003
【図２】
2019079887.tif 000004
【図３】
2019079887.tif 000005
【図４】
2019079887.tif 000006
【図５】
2019079887.tif 000007